(57)【要約】【課題】細長い物、細々とした物、幅広の物など種々の物品を収納可能であって、収納される物品に併せて収納状態並びに取り出し方法を適宜最適なものとする。【解決手段】包装用容器１は、透明プラスチックのブロー成形により、それぞれほぼ一定肉厚に成形された上パーツ１０、中間パーツ２０及び下パーツ３０から構成され、下パーツ３０に対して中間パーツ２０の高さ方向嵌合位置をスライド方式により変更して収納スペースの容積を変更でき、中間パーツ２０の上部に外嵌される上パーツ１０によって蓋閉じされる。ボールペン収納用、クリップ収納用、名刺収納用と使い分けることができ、取り出しも上パーツ１０だけ外したり、中間パーツ２０から上を外したり、収納した物品に応じた適切な取り出し方法を適宜選択することができる。レリーフ模様により、具象化することで装飾品としても机上を賑わすことができる。【選択図】  図２
2015006910.tif 000002
【特許請求の範囲】
【請求項１】
上面開口を有する下パーツ、上下開口を有する中間パーツ及び下面開口を有する上パーツから構成され、以下の構成を備えていることを特徴とする包装用容器。
（１）前記中間パーツは前記下パーツに対して着脱可能であって、所定範囲において上下方向の位置を変更可能な嵌め合い構造によって互いに固定し合う構造とされていること。
（２）前記中間パーツは下端から所定高さの位置に内側へ入りこむ肩部を備え、該肩部からさらに上方に立ち上がる筒状の首部を有し、上部の開口は当該首部の上端に形成され、前記上部パーツは、前記首部に対して着脱可能に取り付けられる構造とされていること。
【請求項２】
さらに、以下の構成を備えていることを特徴とする請求項１に記載の包装用容器。
（３）前記中間パーツはその下部開口から所定範囲に、前記下パーツに対して所定の遊びを介して外嵌し得る寸法・形状の嵌め合い用枠部を備え、前記下パーツは、上部開口から所定範囲に、前記中間パーツの嵌め合い用枠部に所定の遊びを介して内嵌し得る寸法・形状の筒部を備え、相対的なスライド操作又は回転操作によって互いの脱着及び上下方向の相対位置関係を変更可能に構成されていること。
【請求項３】
さらに、以下の構成を備えていることを特徴とする請求項２に記載の包装用容器。
（４）前記下パーツの筒部には、ほぼ等間隔で高さ方向に並ぶ複数の凹凸部が筒部の中心に対して対面関係となる様に少なくとも二列備えられ、前記中間パーツの嵌め合い用枠部には、前記筒部の各列の凹凸部に対して少なくとも一つずつの凹凸部と嵌り合う枠部側凹凸部が備えられていること。
【請求項４】
さらに、以下の構成を備えていることを特徴とする請求項２又は３に記載の包装用容器。
（５）前記下パーツの筒部が断面ほぼ一定とした角筒部で構成されると共に、該角筒部の少なくとも対角位置の角部に、ほぼ等間隔で高さ方向に並ぶ複数の凹凸部を備え、前記中間パーツの嵌め合い用枠部が、前記角筒部の外面に遊嵌し得る角枠部とされると共に、該角枠部の角部に少なくとも対角位置において前記角筒部の凹凸部に係合又は嵌合し得る凹凸部を備えていること。
【請求項５】
さらに、以下の構成を備えていることを特徴とする請求項２又は３に記載の包装用容器。
（６）前記下パーツの筒部が断面ほぼ一定とした円筒部で構成されると共に、該円筒部の直径両端に、ほぼ等間隔で高さ方向に並ぶ複数の凹凸部を備え、前記中間パーツの嵌め合い用枠部は、前記円筒部の外面に遊嵌し得る円形枠部とされると共に、該円形枠部の所定範囲に前記円筒部の凹凸部に螺合し得る凹凸溝を備えていること。
【請求項６】
さらに、以下の構成を備えていることを特徴とする請求項１〜５のいずれかに記載の包装用容器。
（７）前記中間パーツの筒状の首部に、筒中心に対して対面関係となる様に凹凸部を形成し、前記上パーツには前記首部の凹凸部に対して嵌合し得る凹凸部が形成されていること。
【請求項７】
さらに、以下の構成を備えていることを特徴とする請求項１〜６のいずれかに記載の包装用容器。
（８）前記下パーツ、中間パーツ及び上パーツは、ブロー成形によってそれぞれほぼ一定の肉厚のケース体又は筒体として形成され、前記中間パーツの首部は前記上パーツよりも肉厚となる様に形成されていること。
【請求項８】
さらに、以下の構成を備えていることを特徴とする請求項７に記載の包装用容器。
（９）前記中間パーツ及び前記上パーツの外面にはレリーフ模様が形成されていること。
【請求項９】
さらに、以下の構成を備えていることを特徴とする請求項８に記載の包装用容器。
（１０）前記レリーフ模様によって上パーツを顔面、中間パーツを胴体とする具象化が施されていること。
【発明の詳細な説明】
【技術分野】
【０００１】
本発明は、包装用容器に係り、特に、収納スペースの容積を可変とすることのできるアジャスタブルタイプの包装用容器に関するものである。
【背景技術】
【０００２】
従来、アジャスタブルタイプの包装容器として、図９（Ａ）に示す様なスライド式のもの（特許文献１）や、図９（Ｂ）に示す様なネジ式のもの（特許文献２）が知られている。これらのアジャスタブルケースは、２パーツから構成されている。
【０００３】
また、図９（Ｃ）に示す様に、抜け止めされたネジ式の本体の上端及び下端に蓋を備えた４パーツのものも知られている（特許文献３）。
【０００４】
さらに、飲料容器としては、図９（Ｄ）に示す様に、下カップ、上カップ及びボトルキャップの３パーツから構成されたものもある（特許文献４）。
【先行技術文献】
【特許文献】
【０００５】
【特許文献１】実開昭５１−５６３０２（図１）
【特許文献２】実開昭６０−２００３−１４８２３０（図１）
【特許文献３】特開２００３−３１２６６７（図１，図３）
【特許文献４】実用新案登録第３１６２１０６（図３，図６）
【発明の開示】
【発明が解決しようとする課題】
【０００６】
特許文献１，２のものは工具の様な長さの異なるものを収納する際に便利であるが、細々とした物を収納する場合も蓋側を全開する取り出し方法しか採用できず、一度にたくさんの物が出てしまうなど取り出し量の調整がやり難いという問題がある。
【０００７】
特許文献３のものは下部の大きな蓋を開いて物品を収納し、上部の小さな蓋を開いて少しずつ取り出すといった使い方ができるが、幅広の物品を収納したり取り出したりするには困難がある。
【０００８】
特許文献４のものは上カップを取り外して広い開口から飲料や氷を収容し、上カップを閉じてボトルキャップを開くことで少しずつ飲料を飲むのに適するが、収納スペースの容量は一定にしかできないという問題がある。
【０００９】
そこで、本発明は、細長い物、細々とした物、幅広の物など種々の物品を収納可能であって、さらに、収納される物品に併せて収納状態並びに取り出し方法を適宜最適なものとすることのできる包装用容器を提供することを目的とする。
【課題を解決するための手段】
【００１０】
上記目的を達成するためになされた本発明の包装用容器は、上面開口を有する下パーツ、上下開口を有する中間パーツ及び下面開口を有する上パーツから構成され、以下の構成を備えていることを特徴とする。
（１）前記中間パーツは前記下パーツに対して着脱可能であって、所定範囲において上下方向の位置を変更可能な嵌め合い構造によって互いに固定し合う構造とされていること。
（２）前記中間パーツは下端から所定高さの位置に内側へ入りこむ肩部を備え、該肩部からさらに上方に立ち上がる筒状の首部を有し、上部の開口は当該首部の上端に形成され、前記上部パーツは、前記首部に対して着脱可能に取り付けられる構造とされていること。
【００１１】
ここで、本発明の包装用容器は、さらに、以下の構成をも備えるとよい。
（３）前記中間パーツはその下部開口から所定範囲に、前記下パーツに対して所定の遊びを介して外嵌し得る寸法・形状の嵌め合い用枠部を備え、前記下パーツは、上部開口から所定範囲に、前記中間パーツの嵌め合い用枠部に所定の遊びを介して内嵌し得る寸法・形状の筒部を備え、相対的なスライド操作又は回転操作によって互いの脱着及び上下方向の相対位置関係を変更可能に構成されていること。
【００１２】
本発明の包装用容器によれば、中間パーツと下パーツの嵌め合い位置を変更することにより、収容スペースの容積を収容する物品に合わせて容易に変化させることができる。物品の収納に当たっては、中間パーツを取り外した状態で下パーツ内に物品を入れる方法を採用すれば、大きめの開口から細々した物品や幅の広い物品を収納することができ、収納作業を容易に行うことができる。こうして下パーツ内に物品を収納した後、上パーツを取り付けた状態の中間パーツを装着すれば、容器を倒したり逆さまにしたりしても物品はこぼれ出ることなく閉じることができる。物品の取り出しに当たっては、中間パーツを取り外して広い開口から取り出す使用方法だけでなく、中間パーツは装着したまま上パーツだけを取り外して小さめの開口から少しずつ物品を取り出す方法を採用することもできる。さらには、収容スペースの高さを大きくする様に中間パーツを下パーツに装着しておき、上パーツの脱着で出し入れ口を開いたり閉じたりする方法により、細長いボールペンなどの収納や取り出しに便利な用い方をも採用することができる。この様に、本発明の包装容器によれば、種々の物品を収納することができると共に、収納される物品の寸法・形状等に応じて出し入れ方法を種々選択することができる。
【００１３】
ここで、（３）の構成を備えた包装用容器においては、さらに、以下の構成をも備えたものとすることができる。
（４）前記下パーツの筒部には、ほぼ等間隔で高さ方向に並ぶ複数の凹凸部が筒部の中心に対して対面関係となる様に少なくとも二列備えられ、前記中間パーツの嵌め合い用枠部には、前記筒部の各列の凹凸部に対して少なくとも一つずつの凹凸部と嵌り合う枠部側凹凸部が備えられていること。
【００１４】
この場合、さらに、以下の構成をも備えるとよい。
（５）前記下パーツの筒部が断面ほぼ一定とした角筒部で構成されると共に、該角筒部の少なくとも対角位置の角部に、ほぼ等間隔で高さ方向に並ぶ複数の凹凸部を備え、前記中間パーツの嵌め合い用枠部が、前記角筒部の外面に遊嵌し得る角枠部とされると共に、該角枠部の角部に少なくとも対角位置において前記角筒部の凹凸部に係合又は嵌合し得る凹凸部を備えていること。
【００１５】
これらの構成を採用することにより、スライド方式で的確な高さの収容スペースを容易に確保することができると共に、少なくとも対面して嵌め合うことにより、中間パーツと下パーツとの嵌め合い状態のバランスがよく、しっかりとした嵌め合い状態とすることができる。
【００１６】
また、（３）の構成を備えた包装用容器においては、さらに、以下の構成をも備えたものとすることにより、スクリュー方式によって容積を可変とすることもできる。
（６）前記下パーツの筒部が断面ほぼ一定とした円筒部で構成されると共に、該円筒部の直径両端に、ほぼ等間隔で高さ方向に並ぶ複数の凹凸部を備え、前記中間パーツの嵌め合い用枠部は、前記円筒部の外面に遊嵌し得る円形枠部とされると共に、該円形枠部の所定範囲に前記円筒部の凹凸部に螺合し得る凹凸溝を備えていること。
【００１７】
これら本発明の包装用容器は、さらに、以下の構成をも備えたものとすることにより、上パーツの脱着を抜き差し操作で行うことができる様にすると操作性がより向上する。
（７）前記中間パーツの筒状の首部に、筒中心に対して対面関係となる様に凹凸部を形成し、前記上パーツには前記首部の凹凸部に対して嵌合し得る凹凸部が形成されていること。
【００１８】
これら本発明の包装用容器は、さらに、以下の構成を備えたものとすることができる。
（８）前記下パーツ、中間パーツ及び上パーツは、ブロー成形によってそれぞれほぼ一定の肉厚のケース体又は筒体として形成され、前記中間パーツの首部は前記上パーツよりも肉厚となる様に形成されていること。
【００１９】
ブロー成形によってそれぞれほぼ一定肉厚のケース体又は筒体とすることにより、嵌合用の凹凸部を容易に一体成形することができると共に、各パーツが自然に凸部を乗り越える様な変形をすることで、脱着操作が容易になる。また、中間パーツの首部を上パーツよりも肉厚とすることで、上パーツの嵌合状態を強固なものとし、上パーツを摘んで容器を持ち上げたときに蓋が不用意に開いてしまわない様にすることができる。特に、上パーツの上部にフックを形成し、吊り下げて展示する様な場合にこの機能が有効なものとなる。
【００２０】
また、ブロー成形体で構成する場合、さらに、以下の構成をも備え、ロゴ等を付した装飾性の高い容器とすることもできる。
（９）前記中間パーツ及び前記上パーツの外面にはレリーフ模様が形成されていること。
【００２１】
この場合、さらに、以下の構成をも備えるとよい。
（１０）前記レリーフ模様によって上パーツを顔面、中間パーツを胴体とする具象化が施されていること。
【００２２】
中間パーツの肩部で人物やロボットの様な具象化における肩を表すことができ、単に物品を収納するだけでなく、机に置いたときに人形等の装飾物としても楽しむこともできる。
【発明の効果】
【００２３】
本発明によれば、細長い物、細々とした物、幅広の物など種々の物品を収納可能であって、さらに、収納される物品に併せて収納状態並びに取り出し方法を適宜最適なものとすることができる。
【図面の簡単な説明】
【００２４】
【図１】実施例１の包装用容器を示し、（Ａ）は分解斜視図、（Ｂ）は容器本体の収容スペース容積を変更した状態を示す正面図、（Ｃ）は正面斜め上方から見た斜視図、（Ｄ）は背面斜め上方から斜視図である。
【図２】実施例１の包装用容器の使用例を示す斜視図である。
【図３】実施例１の包装用容器の使用例を示す斜視図である。
【図４】実施例１の包装用容器の六面図である。
【図５】実施例１の包装用容器の肉厚の相違を示す説明図である。
【図６】他の実施例の包装用容器を示し、（Ａ）は実施例２の正面図、（Ｂ）は実施例３の正面図、（Ｃ）は実施例２の右側面図、（Ｄ）は実施例３の右側面図、（Ｅ）は実施例２の背面図、（Ｆ）は実施例３の背面図である。
【図７】実施例４の包装用容器を示し、（Ａ）は分解正面図、（Ｂ）は容器本体の収容スペースの容積を変更した状態を示す正面図、（Ｃ）は左側面図を省略した五面図である。
【図８】実施例５の包装用容器を示し、（Ａ）は正面図、（Ｂ）は吊り下げた状態の左側面図である。
【図９】従来例の説明図である。
【発明を実施するための形態】
【００２５】
以下に、本発明を実施するための形態を、いくつかの実施例に基づいて説明する。
【実施例１】
【００２６】
実施例の包装用容器１は、図１（Ａ）に示す様に、透明なプラスチックを用いたブロー成形により、それぞれほぼ一定の肉厚に成形された下面開口を有する上パーツ１０、上下開口を有する中間パーツ２０及び上面開口を有する下パーツ３０から構成される。この包装用容器１は、図１（Ｂ）に示す様に、下パーツ３０に対して中間パーツ２０が高さ方向の嵌合位置をスライド方式により変更可能に外嵌されて収納スペースの容積を変更可能な容器本体を構成し、図１（Ｃ），（Ｄ）及び図４に示す様に、中間パーツ２０の上部に外嵌される上パーツ１０によって蓋閉じされるものである。
【００２７】
この包装用容器１は、図２（Ａ）に示す様に、下パーツ３０を長く露出させた状態となる様に中間パーツ２０を嵌合させて収納空間を大きくして、上パーツ１０の脱着によりボールペンの様な細長い物を収納する細長い物品の収納用として用いることができる。また、図２（Ｂ）に示す様に、中間パーツ２０から上の脱着によって形成される大きな開口からクリップの様な小物を収納したり取り出したりする容器として用いることもできる。この場合、図２（Ｃ）に示す様に、上部パーツ１０だけを取り外して小物の取り出しを行うこともできる。さらに、図２（Ｄ），（Ｅ）に示す様に、中間パーツ２０から上の脱着によって形成される大きな開口から、幅広の名刺を出し入れする容器として用いることもでき、中間パーツ２０の肩の部分を名刺の上端付近まで下がった位置にして持ち運びの際に名刺のガタツキを抑制する用い方もできる。
【００２８】
加えて、図３（Ａ）に示す様に、名刺とクリップを収納し、図３（Ｂ）に示す様に、上パーツ１０を取り外すことでクリップのみを取り出す様にして必用なものだけを要領よく取り出す用い方もできる。
【００２９】
包装容器１は、図５に示す様に、中間パーツ２０は下パーツ３０に対して着脱可能であって、所定範囲において上下方向の位置を変更可能な嵌め合い構造によって互いに固定し合う構造とされている。また、中間パーツ２０は下端から所定高さの位置に内側へ入りこむ肩部２１を備え、肩部２１からさらに上方に立ち上がる筒状の首部２２を有し、上部開口２３は首部２２の上端に形成され、上部パーツ１０は、首部２２に対して着脱可能に取り付けられる構造とされている。
【００３０】
さらに、中間パーツ２０はその下部開口２４から所定範囲に、下パーツ３０に対して所定の遊びを介して外嵌し得る寸法・形状の嵌め合い用枠部２５を備え、下パーツ３０は、上部開口３１から所定範囲に、中間パーツ２０の嵌め合い用枠部２５に所定の遊びを介して内嵌し得る寸法・形状の筒部３２を備え、相対的なスライド操作によって互いの脱着及び上下方向の相対位置関係を変更可能に構成されている。
【００３１】
中間パーツ２０と下パーツ３０との嵌め合い構造は、下パーツ３０の筒部３２にほぼ等間隔で高さ方向に並ぶ複数の凸部３３が筒部の中心に対して対面関係となる様に二列備えられ、中間パーツ２０の嵌め合い用枠部２５に筒部３２の各列の凸部３３に対して少なくとも一つずつの凸部３３と嵌り合う枠部側凹凸部２６が備えられている。
【００３２】
ここで、下パーツ３０の筒部３２は断面ほぼ一定とした角部Ｒ取りされた長方形筒部で構成されると共に、二列の凸部３３は長方形筒部の対角位置の角部に形成されている。一方、中間パーツ２０の嵌め合い用枠部２５は、長方形筒部の外面に遊嵌し得る角部Ｒ取りされた長方形枠部とされると共に、長方形枠部の４つの角部のそれぞれに凹凸部２６が備えられている。また、下パーツ３０は正面と背面の形状が対称である。この結果、正面と背面を注意深く確認しなくても、中間パーツ２０と下パーツ３０を互いの凹凸部２６と凸部３３とを嵌合させる様に嵌め合わすことができる。
【００３３】
また、中間パーツ２０の首部２２も角部Ｒ取りされた長方形筒部とされており、左右の側面からそれぞれ外側に飛び出す円盤状凸部２７が形成されている。上パーツ１は、この首部２２に若干の遊びをもって嵌合し得る角部Ｒ取りされた長方形筒部１１を備え、その下端に下部開口１２が形成されると共に上部は閉じたケース体となっている。そして、上パーツ１０の長方形筒部１１には首部２２の円盤状凸部２７に対して嵌合し得る円盤状の凹部を形成する様に円盤状凸部１３が形成されている。
【００３４】
上述の様に、上パーツ１０、中間パーツ２０及び下パーツ３０は、ブロー成形によってそれぞれほぼ一定の肉厚のケース体又は筒体として形成されているが、中間パーツ２０の首部２２は上パーツ１０よりも肉厚となる様に形成されている。
【００３５】
また、上パーツ１０の正面には目鼻を模した凸型レリーフ模様４１と、頭部に相当する部分の正面に筋状の凹型レリーフ模様４２が施されている。中間パーツ２０にも、左右の側面に腕状の凸型レリーフ模様４３，４３が施されると共に、正面にもロボットをイメージした凸型レリーフ模様４４が施されている。なお、図４の背面図で確認できる様に、上パーツ１０の背面及び中間パーツ２０の背面にも凸型レリーフ模様が施されている。これらレリーフ模様は、ブロー成形金型において対応する部分を入れ子金型としておくことで、表情の異なる目鼻にしたり、ロゴを入れたりすることができる。
【００３６】
包装用容器１によれば、中間パーツ２０と下パーツ３０の嵌め合い位置を変更することにより、収容スペースの容積を収容する物品に合わせて容易に変化させることができる。物品の収納に当たっては、中間パーツ２０を取り外した状態で下パーツ３０内に物品を入れる方法を採用すれば、大きめの開口３１から細々した物品や幅の広い物品を収納することができ、収納作業を容易に行うことができる。こうして下パーツ３０内に物品を収納した後、上パーツ１０を取り付けた状態の中間パーツ２０を装着すれば、容器を倒したり逆さまにしたりしても物品はこぼれ出ることなく閉じることができる。物品の取り出しに当たっては、中間パーツ２０を取り外して広い開口３１から取り出す使用方法だけでなく、中間パーツ２０は装着したまま上パーツ１０だけを取り外して小さめの開口２３から少しずつ物品を取り出す方法を採用することもできる。さらには、収容スペースの高さを大きくする様に中間パーツ２０を下パーツ３０に装着しておき、上パーツ１０の脱着で出し入れ口を開いたり閉じたりする方法により、細長いボールペンなどの収納や取り出しに便利な用い方をも採用することができる。この様に、包装容器１によれば、種々の物品を収納することができると共に、収納される物品の寸法・形状等に応じて出し入れ方法を種々選択することができる。
【００３７】
また、上述の様にスライド方式で的確な高さの収容スペースを容易に確保することができると共に、少なくとも対面して嵌め合うことにより、中間パーツ２０と下パーツ３０との嵌め合い状態のバランスがよく、しっかりとした嵌め合い状態とすることができる。
【００３８】
さらに、ブロー成形によってそれぞれほぼ一定肉厚のケース体又は筒体とすることにより、嵌合用の凹凸部を容易に一体成形することができると共に、各パーツが自然に凸部を乗り越える様な変形をすることで、脱着操作が容易である。加えて、中間パーツ２０の首部２２を上パーツ１０よりも肉厚とすることで、上パーツ１０の嵌合状態を強固なものとし、上パーツ１０を摘んで容器を持ち上げたときに蓋が不用意に開いてしまわない様にすることもできる。
【００３９】
加えて、凸型レリーフ模様４１等や凹型レリーフ模様４２により容器に装飾を施すのもブロー成形故に容易であり、本実施例の様にロボットを模した具象化により、単なる容器としてだけでなく、机上の装飾品としても楽しむことができる。
【実施例２】
【００４０】
実施例２の包装用容器２は、図６（Ａ），（Ｃ），（Ｅ）に示す様に、上パーツ１０及び中間パーツ２０の正面及び背面のレリーフ模様をなくしたものである。中間パーツ側面のレリーフ模様４３を残すことにより、ロボットのイメージを維持することができている。
【実施例３】
【００４１】
実施例３の包装用容器３は、図６（Ｂ），（Ｄ），（Ｆ）に示す様に、上パーツ１０及び中間パーツ２０の正面及び背面のレリーフ模様４１〜４６を施したものである。これらリリーフ模様４１〜４６は、実施例２の包装用容器２と共通の金型を用いて実施例２では内面平坦となる入れ子金型を装着し、実施例３では内面に凹型又は凸型のリリーフ模様を形成した入れ子金型を装着することにより、共通の金型で容易にブロー成形で製造することができる。
【実施例４】
【００４２】
実施例４の包装用容器４は、図７に示す様に、下パーツ３０の筒部が断面ほぼ一定とした円筒部３５で構成されると共に、円筒部３５の直径両端に、ほぼ等間隔で高さ方向に並ぶ複数の凸部３６を備え、中間パーツ２０の嵌め合い用枠部は、円筒部３５の外面に遊嵌し得る円形枠部２８とされると共に、円形枠部２８の所定範囲に円筒部３５の凸部３６に螺合し得る傾斜溝部２９を備えている。
【００４３】
収容スペースは、図７（Ｂ）に示す様に、中間パーツ２０を回転させて下パーツ３０に対する螺合位置を調節することによって容積を変更することができる。用い方は、実施例１で説明したのと同様であり、中間パーツ２０を取り外した状態で下パーツ３０内に物品を入れる方法を採用すれば、大きめの開口から細々した物品や幅の広い物品を収納することができ、物品の取り出しに当たっては、中間パーツ２０を取り外して大きめの開口から取り出す方法だけでなく、中間パーツ２０は装着したまま上パーツ１０だけを取り外して小さめの開口から少しずつ物品を取り出す方法を採用することもできる。さらには、図７（Ｂ）の左側の状態にして、細長いボールペンなどの収納や取り出しに便利な用い方も採用することができる。この様に、実施例４のスクリュー方式の容積変更方法においても、種々の物品を収納することができると共に、収納される物品の寸法・形状等に応じて出し入れ方法を種々選択することができる。
【００４４】
なお、実施例４においては、中間パーツ２０を上に引っ張って下パーツ３０から取り外すこともできる。装着時も同様にスライド方式を採用することもできるが、スクリュー方式で螺合う位置を調整しながら装着する方法は、微妙な容積調整を的確に実施するのに適している。
【実施例５】
【００４５】
実施例５の包装用容器５は、図８に示す様に、上パーツ１０の上部にフック１５を形成したものである。フック１５により、図８（Ｂ）に示す様に、吊り下げた状態で保管・展示等を行うことができる。このとき、実施例１と同様に首部を肉厚にしておくことで吊り下げた状態での不用意な蓋開きを防止することができる。
【００４６】
以上、本発明の実施例を説明したが、本発明はこれらの実施例に限定されるものではなく、その要旨を逸脱しない範囲内で種々に実施することができる。
【００４７】
例えば、透明プラスチックではなく色つきのプラスチックを用いて成形したものであっても構わない。
【産業上の利用可能性】
【００４８】
種々の物品の包装用容器として産業上利用することができる。
【符号の説明】
【００４９】
１〜５・・・包装用容器、１０・・・上パーツ、１１・・・長方形筒部、１２・・・下部開口、１３・・・円盤状凸部、１５・・・フック、２０・・・中間パーツ、２１・・・肩部、２２・・・首部、２３・・・上部開口、２４・・・下部開口、２５・・・嵌め合い用枠部、２６・・・枠部側凹凸部、２７・・・円盤状凸部、２８・・・円形枠部、２９・・傾斜溝部、３０・・・下パーツ、３１・・・上部開口、３２・・・筒部、３３・・・凸部、３５・・・円筒部、３６・・・凸部、４１〜４６・・・レリーフ模様。
【図１】
2015006910.tif 000003
【図２】
2015006910.tif 000004
【図３】
2015006910.tif 000005
【図４】
2015006910.tif 000006
【図５】
2015006910.tif 000007
【図６】
2015006910.tif 000008
【図７】
2015006910.tif 000009
【図８】
2015006910.tif 000010
【図９】
2015006910.tif 000011